(57)【要約】      （修正有）【課題】単に写経を行うだけでなく、高い癒しと心身の統一を図るに望ましい写経用紙Ｓを提供する。【解決手段】基材となる写経用紙本体１と、当該写経用紙本体１の表面に印刷した経文の下書文字２とを有する写経用紙Ｓにおいて、当該経文の下書文字２の上に押圧又は摩擦により香料の香りを拡散させる香料層３を形成した。【選択図】図２
0003114134.tif 000002
【実用新案登録請求の範囲】
【請求項１】
基材となる写経用紙本体と、当該写経用紙本体の表面に印刷した経文の下書文字とを有する写経用紙において、
当該経文の下書文字の上に押圧又は摩擦により香料の香りを拡散させる香料層を形成したことを特徴とする写経用紙。
【請求項２】
前記経文の下書文字に沿って凸状に突出した凸状の香料層を有し、当該凸状の香料層を押圧又は摩擦することにより香料の香りを拡散させることを特徴とする請求項１記載の写経用紙。
【請求項３】
基材となる写経用紙本体と、当該写経用紙本体の表面に印刷した仏像の図柄とを有する写経用紙において、
当該仏像の図柄上に押圧又は摩擦により香料の香りを拡散させる香料層を形成したことを特徴とする写経用紙。
【請求項４】
前記香料層を、天然材料にて構成していることを特徴とする請求項１乃至３記載の写経用紙。
【請求項５】
前記香料層が、香料の発散蒸発を防止する発散防止材を有し、前記香料層の上を押圧又は摩擦することにより前記香料の香りを拡散させる香料層であることを特徴とする請求項１乃至４記載の写経用紙。
【請求項６】
こんにゃく粉末、アルギン酸又はじゃがいも粉末等を用いた天然糊材を前記発散防止材として用いることを特徴とする請求項５記載の写経用紙。
【請求項７】
前記香料層を印刷により形成することを特徴とする請求項１乃至６記載の写経用紙。
【考案の詳細な説明】
【技術分野】
【０００１】
写経を行う際に利用される写経用紙に関するものである。
【背景技術】
【０００２】
従来、経文を書き写す写経は広く行われており、例えば手本となる写経の経文を参照しながら和紙等の写経用紙に経文を書き写している。
【０００３】
また、初心者が容易に写経を行うためには、写経用紙に写経のガイドとなる下書文字を薄墨などで印刷した写経用紙を利用し、当該下書文字の上をなぞり書きすることで写経を行う場合もある。
（例えば、特許文献１を参照）。
【特許文献１】特開平１１−５９０２６号
【考案の開示】
【考案が解決しようとする課題】
【０００４】
しかし、近年では単に写経を行うだけでなく、その際に多く癒し効果等を得る写経用紙が要望されている。
【課題を解決するための手段】
【０００５】
そこで本願は、基材となる写経用紙本体と、当該写経用紙本体の表面に印刷した経文の下書文字とを有する写経用紙において、当該経文の下書文字の上に押圧又は摩擦により香料の香りを拡散させる香料層を形成したことを特徴とする。
【０００６】
これにより、例えば写経を行う者が香料層を擦るという動作をすることを契機として癒し効果の高い芳香を発生させることができ、写経時において高い癒しと心身の統一の効果を得ることができる。また、写経を行う者自らが香料層を擦るという動作を行う中で徐々に心身の集中を高めていくことができ、単に写経用紙が香るものと比べて高い精神集中効果を期待できる。
【０００７】
また、前記経文の下書文字に沿って凸状に突出した香料層を形成し、当該凸状の香料層を押圧又は摩擦することにより香料の香りを拡散させても良い。これにより、経文を手でなぞり身近に感じることができ、更なる心の安泰を得ることができる。
【０００８】
更に、当該写経用紙本体の表面に印刷した仏像の図柄上に押圧又は摩擦により香料の香りを拡散させる香料層を形成することも考えられる。
【０００９】
加えて、前記香料層を天然材料にて構成することにより、写経後に当該写経用紙を焼く際にも環境に悪影響を与えないものとすることができる。
【００１０】
また、前記香料層の香を使用前に喪失してしまわないためには、前記香料層が、香料の発散蒸発を防止する発散防止材を有し、前記香料層の上を押圧又は摩擦することにより前記香料の香りを拡散させる香料層であることが望ましい。
【００１１】
発散防止材の具体的な態様として、こんにゃく粉末、アルギン酸又はじゃがいも粉末等を用いた天然糊材を用いることで環境に配慮した写経用紙を得ることが可能となる。
【００１２】
加えて、簡易な工程にて香料層を形成するためには、印刷により形成することが望ましい。
【考案の効果】
【００１３】
例えば写経を行う者が香料層を擦るという動作をすることを契機として癒し効果の高い芳香を発生させることができ、写経時において高い癒しと心身の統一の効果を得ることができる。また、写経を行う者自らが香料層を擦るという動作を行う中で徐々に心身の集中を高めていくことができ、単に写経用紙が香るものと比べて高い精神集中効果を期待できる。
【考案を実施するための最良の形態】
【００１４】
以下、本願考案の写経用紙Ｓの一実施形態を図面を用いて説明する。
【００１５】
図１は、写経用紙Ｓを示す全体平面図であり、図２は、当該写経用紙Ｓの部分拡大斜視図である。
【００１６】
本願考案の写経用紙Ｓは、なぞり書きによって初心者でも容易に写経を行うために利用されるものであり、基材となる写経用紙本体１と、当該写経用紙本体１の表面に印刷した経文の下書文字２や仏像４の図柄を有し、当該経文の下書文字２の上や仏像４の図柄の上に押圧又は摩擦により香料の香りを拡散させる香料層３を形成している。
【００１７】
また、当該写経用紙Ｓには、写経を行なった者の住所や氏名の他、写経を行った年月日を書きこむことができる書きこみ欄５も設けられている。
【００１８】
以下、各構成について詳述する。
【００１９】
写経用紙本体１は、和紙等の可撓性のある薄い矩形状の用紙であり、その表面に墨などで経文等を記載する記載面Ｓ１を有している。
【００２０】
下書文字２は、写経を行うものが経文の手本として利用するものであり、具体的には、前記写経用紙本体１の表面に薄いインクにて経文の手本を印刷しているものである。従って、経文の初心者は、当該下書文字２をなぞることにより容易に写経を行うことができる。
【００２１】
また、本実施の形態においては、後述する香料層３を写経用紙本体１に印刷すると同時に下書き文字を印刷する構成としている。つまり、香料層３に下書文字２を形成するインクを混ぜておき、当該香料層３を前記経文の下書文字２の形状に印刷することで、前記写経用紙本体１の表面に下書文字２を印刷する。
【００２２】
香料層３は、前記経文の下書文字２に沿って凸状に突出した凸状の香料層３であり、香料の発散蒸発を防止する発散防止材を有し、写経を行う者が前記香料層３の上を押圧又は摩擦することにより前記香料の香りを拡散させる構成としている。
【００２３】
また、当該香料層３は天然材料にて構成している。具体的には、香料として、沈香、伽羅、白檀、麝香などの香木の粉末を用いており、当該香木の芳香を中空超微粒子粉末体の中に含浸している。更に、前記発散防止材として天然糊材であるこんにゃく粉末、昆布等のアルギン酸又はじゃがいも粉末等を用いている。
【００２４】
更に、本実施の形態においては、当該天然糊材に下書文字２を印刷するインクを混ぜておくことで、当該凸状の香料層３をスクリーン印刷等により写経用紙本体１の表面に形成すると同時に、前記下書文字２を写経用紙本体１の表面に印刷できるようにしている。
【００２５】
詳述すると、経文の文字通りにパターンマスクされたスクリーンメッシュの上に、カーボン粉末を含んだ香料層３を形成するペースト（前記香料や発散防止の糊材等）を載せ、スキージによって版の反対側へとかき出し、印刷対象となる写経用紙本体１の表面に香料層３を塗布する。
【００２６】
これにより、経文の下書文字２の形状に突出した凸状の香料層３が立体的に印刷されると同時に、この香料層３の下には経文の下書文字２が印刷される。
【００２７】
仏像４は、写経用紙Ｓの表面に金色にて印刷しており、その位置は、写経用紙Ｓの略中央部分、本実施の形態においては前記下書文字２の前半部分と後半部分の間に位置している。尚、前記香料層３は当該仏像４の図柄上にも形成しても良い。
【００２８】
次に、当該写経用紙Ｓの使用方法としては、図２に示すように、先ず写経を行う前に、指にて前記香料層３を摩擦して香料層３を取り去り下書文字２を図３に示すように露出させる。
【００２９】
そして、図４に示すように、その下書文字２の上をなぞって写経する。
【００３０】
以上の構成により、自ら香料層３を擦るという動作をすることを契機として癒し効果の高い芳香を発生させることで、写経時における心身の統一を更に図ることができる。
【００３１】
また、写経を行う者自らが香料層３を擦るという動作を行う中で徐々に心身の集中を高めていくことができ、単に写経用紙Ｓが香るものと比べて高い精神集中効果を期待できる。
【００３２】
更に、前記経文の下書文字２に沿って凸状に突出した香料層３を形成し、当該凸状の香料層３を押圧又は摩擦することにより香料の香りを拡散させることより、経文を手でなぞり身近に感じることができ、更なる心の安泰を得ることができる。
【００３３】
加えて、当該写経用紙本体１の表面に印刷した仏像４の図柄上に押圧又は摩擦により香料の香りを拡散させる香料層３を形成することにより、仏像４の図柄を撫でながら精神集中を図ることも考えられる。
【００３４】
加えて、前記香料層３を天然材料にて構成することにより、写経後に当該写経用紙Ｓを焼く際にも環境に悪影響を与えないものとすることができる。
【００３５】
また、前記香料層３が、香料の発散蒸発を防止する発散防止材を有し、前記香料層３の上を押圧又は摩擦することにより前記香料の香りを拡散させる香料層３であることで、前記香料層３の香を使用前に喪失してしまわないようにできる。
【００３６】
発散防止材としては、こんにゃく粉末、アルギン酸又はじゃがいも粉末等を用いた天然糊材を用いているため、環境に配慮した写経用紙Ｓとすることが可能となる。
【００３７】
加えて、香料層３を印刷により形成することで、簡易な工程にて香料層３を形成することができる。
【００３８】
尚、各部の具体的な構成は、上述した実施形態のみに限定されるものではなく、本考案の趣旨を逸脱しない範囲で種々変形が可能である。
【００３９】
例えば、本実施の形態においては、経文の下書文字２に沿って香料層３を形成したが、その他下書文字２上を含む写経用紙本体１の全面に香料層３を形成することも考えられる。
【００４０】
また、本実施の形態においては、印刷にて立体的に香料層３を形成していたが、下書文字２の上から刷毛等にて香料層３を塗布してもよい。
【図面の簡単な説明】
【００４１】
【図１】本考案の一実施形態に係る写経用紙Ｓの平面図。
【図２】同実施形態に係る写経用紙Ｓの部分拡大斜視図。
【図３】同実施形態に係る写経用紙Ｓの部分拡大平面図。
【図４】同実施形態に係る写経用紙Ｓの部分拡大平面図。
【符号の説明】
【００４２】
Ｓ・・・写経用紙
１・・・写経用紙本体
２・・・下書文字
３・・・香料層
４・・・仏像
【図１】
0003114134.tif 000003
【図２】
0003114134.tif 000004
【図３】
0003114134.tif 000005
【図４】
0003114134.tif 000006